【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
ディジタル加入者線（ＤＳＬ：Ｄｉｇｉｔａｌ  Ｓｕｂｓｃｒｉｂｅｒ  Ｌｉｎｅ  ）サービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を光信号に変換する光変調部と、
前記光変調部から出力された光信号を伝送する光伝送部と、
前記光伝送部によって伝送されてきた光信号を電気信号である前記ＤＳＬ変調信号に再変換する光検波部と、
前記光検波部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項２】
ＤＳＬサービスを提供するための伝送装置であって、
入力されたディジタルデータ信号に基づきＤＳＬ変調信号を生成するＤＳＬ変調部と、  前記ＤＳＬ変調部から出力されたＤＳＬ変調信号を所定の第１の周波数帯に周波数変換  する第１の周波数変換部とを含む変調部と、
前記変調部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号を所定の第２の周波数帯に周波数変換する第２の周波数変換部と、
前記第２の周波数変換部から出力された信号を復調し、前記ディジタルデータ信号を再生するＤＳＬ復調部とを備えた、伝送装置。
【請求項３】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を復調し、前記ディジタルデータ信号を再生するＤＳＬ復調部とを備えた、伝送装置。
【請求項４】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号をＮ個（Ｎは２以上の整数、以下同じ）に分岐させる分岐部と、
前記分岐部から出力されたＮ個のＦＤＭ信号のそれぞれに対応して設けられ、分岐後の
前記ＦＤＭ信号をそれぞれ伝送するＮ個の電気伝送部と、
前記Ｎ個の電気伝送部のそれぞれに対応して設けられ、各前記電気伝送部によって伝送されてきたＦＤＭ信号に含まれているＭ個の信号のうちからいずれかの信号を選択し、所定の第２の周波数帯に周波数変換する第２の周波数変換部と、前記第２の周波数変換部から出力された信号を復調し、前記ディジタルデータ信号を再生するＤＳＬ復調部とを含むＮ個の復調部とを備えた、伝送装置。
【請求項５】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換部のそれぞれに対応して設けられ、各前記第２の周波数変換部によって出力された信号を復調し、前記ディジタルデータ信号を再生するＬ個のＤＳＬ復調部とを備えた、伝送装置。
【請求項６】
前記ディジタルデータ信号の個数Ｍと、前記分岐部における分岐数Ｎとが等しいことを特徴とする、請求項４に記載の伝送装置。
【請求項７】
前記ディジタルデータ信号の個数Ｍと、前記分波部における分波数Ｌとが等しいことを特徴とする、請求項５に記載の伝送装置。
【請求項８】
前記ＤＳＬ変調信号の占有周波数帯と、前記第２の周波数帯とが一致することを特徴とする、請求項２に記載の伝送装置。
【請求項９】
前記ＤＳＬ変調信号の占有周波数帯と、前記第２の周波数帯とが一致することを特徴とする、請求項５に記載の伝送装置。
【請求項１０】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＤＳＬ変調信号を再生する第１のＦＭ復調部と、
前記第１のＦＭ復調部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項１１】
ＤＳＬサービスを提供するための伝送装置であって、
入力されたディジタルデータ信号に基づきＤＳＬ変調信号を生成するＤＳＬ変調部と、  前記ＤＳＬ変調部から出力されたＤＳＬ変調信号を所定の第１の周波数帯に周波数変換  する第１の周波数変換部とを含む変調部と、
前記変調部から出力された信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記変調部から出力された信号を再生する第１のＦＭ復調部と、
前記第１のＦＭ復調部から出力された信号を所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項１２】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する第１の合波部と、
前記第１の合波部から出力されたＦＤＭ信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＦＤＭ信号を再生する第１のＦＭ復調部と、
前記第１のＦＭ復調部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項１３】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する第１の合波部と、
前記第１の合波部から出力されたＦＤＭ信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＦＤＭ信号を再生する第１のＦＭ復調部と、
前記第１のＦＭ復調部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項１４】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号である前記ＤＳＬ変調信号に再変換する複数の光検波部と、
前記複数の光検波部のそれぞれに対応して設けられ、各前記光検波部から出力されたＤＳＬ変調信号を伝送する複数の電気伝送部と、
前記複数の電気伝送部のそれぞれに対応して設けられ、各前記電気伝送部によって伝送されてきたＤＳＬ変調信号を復調し、前記ディジタルデータ信号を再生する複数のＤＳＬ復調部とを備えた、伝送装置。
【請求項１５】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号に再変換する複数の光検波部と、
前記複数の光検波部のそれぞれに対応して設けられ、各前記光検波部から出力された信号を所定の第２の周波数帯に周波数変換する複数の第２の周波数変換部と、
前記複数の第２の周波数変換部のそれぞれに対応して設けられ、各前記第２の周波数変換部から出力された信号を伝送する複数の電気伝送部と、
前記複数の電気伝送部のそれぞれに対応して設けられ、各前記電気伝送部によって伝送されてきた信号を復調し、前記ディジタルデータ信号を再生する複数のＤＳＬ復調部とを備えた、伝送装置。
【請求項１６】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号である前記ＦＤＭ信号に再変換する複数の光検波部と、
前記複数の光検波部のそれぞれに対応して設けられ、各前記光検波部から出力されたＦＤＭ信号に含まれているＭ個の信号のうちからいずれかの信号を選択し、所定の第２の周波数帯に周波数変換する複数の第２の周波数変換部と、
前記複数の第２の周波数変換部のそれぞれに対応して設けられ、各前記第２の周波数変換部から出力された信号を伝送する複数の電気伝送部と、
前記複数の電気伝送部のそれぞれに対応して設けられ、当該電気伝送部によって伝送されてきた信号を復調し、前記ディジタルデータ信号を再生する複数のＤＳＬ復調部とを備えた、伝送装置。
【請求項１７】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＤＳＬ変調信号と前記第２の電気信号とを分離して出力する周波数分離部と、
前記周波数分離部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項１８】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換
する第１の周波数変換部とを含む変調部と、
前記変調部から出力された信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記変調部からの出力信号に相当する信号と前記第２の電気信号とを分離して出力する周波数分離部と、
前記周波数分離部から出力された前記変調部からの出力信号に相当する信号を、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項１９】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化してＦＤＭ信号を生成すると共に、さらに所定の第２の電気信号を多重化する合波多重部と、
前記合波多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＦＤＭ信号と前記第２の電気信号とを分離して出力する周波数分離部と、
前記周波数分離部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項２０】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化してＦＤＭ信号を生成すると共に、さらに所定の第２の電気信号を多重化する合波多重部と、
前記合波多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＦＤＭ信号と前記第２の電気信号とを分離して出力する周波数分離部と、
前記周波数分離部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換部のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項２１】
ＤＳＬサービスを用いてＭ個の第１の通信装置とＭ個の第２の通信装置との間で１対１の双方向通信を実現するために、前記第１の通信装置から対応する前記第２の通信装置に第１のディジタルデータ信号を伝送し、前記第２の通信装置から対応する前記第１の通信装置に第２のディジタルデータ信号を伝送する伝送装置であって、
前記Ｍ個の第１の通信装置のそれぞれに対応して設けられ、各前記第１の通信装置から出力された第１のディジタルデータ信号に基づき第１のＤＳＬ変調信号を生成するＭ個の第１のＤＳＬ変調部と、
前記Ｍ個の第１のＤＳＬ変調部のそれぞれに対応して設けられ、各前記第１のＤＳＬ変調部から出力された第１のＤＳＬ変調信号を、互いに異なる所定の第１の周波数帯に周波数変換するＭ個の第１の周波数変換部と、
前記Ｍ個の第１の周波数変換部から出力されたＭ個の信号を多重化し、第１のＦＤＭ信号を出力する第１の合波部と、
前記第１の合波部から出力された第１のＦＤＭ信号を光信号に変換する第１の光変調部と、
前記第１の光変調部から出力された光信号を伝送する第１の光伝送部と、
前記第１の光伝送部によって伝送されてきた光信号を電気信号である前記第１のＦＤＭ信号に再変換する第１の光検波部と、
前記第１の光検波部から出力された第１のＦＤＭ信号に含まれているＭ個の信号を分離して出力する第１の分波部と、
前記第１の分波部から出力されたＭ個の信号のそれぞれに対応して設けられ、分離された各信号を所定の第２の周波数帯に周波数変換するＭ個の第２の周波数変換部と、
前記Ｍ個の第２の周波数変換部のそれぞれに対応して設けられ、各前記第２の周波数変換部から出力された信号を伝送するＭ個の第１の電気伝送部と、
前記Ｍ個の第１の電気伝送部のそれぞれに対応して設けられ、各前記第１の電気伝送部によって伝送されてきた信号を復調し、前記第１のディジタルデータ信号を再生して、対応する前記第２の通信装置に出力するＭ個の第１のＤＳＬ復調部と、
前記Ｍ個の第２の通信装置のそれぞれに対応して設けられ、各前記第２の通信装置から出力された第２のディジタルデータ信号に基づき第２のＤＳＬ変調信号を生成するＭ個の第２のＤＳＬ変調部と、
前記Ｍ個の第２のＤＳＬ変調部のそれぞれに対応して設けられ、各前記第２のＤＳＬ変調部から出力された第２のＤＳＬ変調信号を伝送するＭ個の第２の電気伝送部と、
前記Ｍ個の第２の電気伝送部のそれぞれに対応して設けられ、各前記第２の電気伝送部によって伝送されてきた第２のＤＳＬ変調信号を、互いに異なる所定の第３の周波数帯に周波数変換するＭ個の第３の周波数変換部と、
前記Ｍ個の第３の周波数変換部から出力されたＭ個の信号を多重化し、第２のＦＤＭ信号を出力する第２の合波部と、
前記第２の合波部から出力された第２のＦＤＭ信号を光信号に変換する第２の光変調部と、
前記第２の光変調部から出力された光信号を伝送する第２の光伝送部と、
前記第２の光伝送部によって伝送されてきた光信号を電気信号である前記第２のＦＤＭ信号に再変換する第２の光検波部と、
前記第２の光検波部から出力された第２のＦＤＭ信号に含まれているＭ個の信号を分離して出力する第２の分波部と、
前記第２の分波部から出力されたＭ個の信号のそれぞれに対応して設けられ、分離された各信号を所定の第４の周波数帯に周波数変換するＭ個の第４の周波数変換部と、
前記Ｍ個の第４の周波数変換部のそれぞれに対応して設けられ、各前記第４の周波数変換部から出力された信号を復調し、前記第２のディジタルデータ信号を再生して、対応する前記の第１の通信装置に出力するＭ個の第２のＤＳＬ復調部とを備えた、伝送装置。
【請求項２２】
ＤＳＬサービスを用いてＭ個の第１の通信装置とＭ個の第２の通信装置との間で１対１の双方向通信を実現するために、前記第１の通信装置から対応する前記第２の通信装置に第１のディジタルデータ信号を伝送し、前記第２の通信装置から対応する前記第１の通信装置に第２のディジタルデータ信号を伝送する伝送装置であって、
前記Ｍ個の第１の通信装置のそれぞれに対応して設けられ、各前記第１の通信装置から出力された第１のディジタルデータ信号に基づき第１のＤＳＬ変調信号を生成すると共に、入力された第２のＤＳＬ変調信号を復調することにより前記第２のディジタルデータ信号を再生して、対応する前記第１の通信装置に出力するＭ個の第１の変復調部と、
前記Ｍ個の第１の変復調部のそれぞれに対応して設けられ、各前記第１の変復調部から出力された第１のＤＳＬ変調信号を出力すると共に、入力された前記第２のＤＳＬ変調信号を対応する前記第１の変復調部に出力するＭ個の第１の分離部と、
前記Ｍ個の第１の分離部のそれぞれに対応して設けられ、各前記第１の分離部から出力された第１のＤＳＬ変調信号を、互いに異なる所定の第１の周波数帯に周波数変換するＭ個の第１の周波数変換部と、
前記Ｍ個の第１の周波数変換部から出力されたＭ個の信号を多重化し、第１のＦＤＭ信号を出力する第１の合波部と、
前記第１の合波部から出力された第１のＦＤＭ信号を光信号に変換する第１の光変調部と、
前記第１の光変調部から出力された光信号を伝送する第１の光伝送部と、
前記第１の光伝送部によって伝送されてきた光信号を電気信号である前記第１のＦＤＭ信号に再変換する第１の光検波部と、
前記第１の光検波部から出力された第１のＦＤＭ信号に含まれているＭ個の信号を分離して出力する第１の分波部と、
前記第１の分波部から出力されたＭ個の信号のそれぞれに対応して設けられ、分離された各信号を所定の第２の周波数帯に周波数変換することにより、前記第１のＤＳＬ変調信号を求めるＭ個の第２の周波数変換部と、
前記Ｍ個の第２の通信装置のそれぞれに対応して設けられた、Ｍ個の双方向電気伝送部と、
前記Ｍ個の第２の周波数変換部のそれぞれに対応して設けられ、各前記第２の周波数変換部から出力された第１のＤＳＬ変調信号を対応する前記双方向電気伝送部に送出すると共に、当該双方向電気伝送部によって伝送されてきた第２のＤＳＬ変調信号を受信して出力するＭ個の第２の分離部と、
前記Ｍ個の双方向電気伝送部のそれぞれに対応して設けられ、当該双方向電気伝送部によって伝送されてきた第１のＤＳＬ変調信号を復調することにより、前記第１のディジタルデータ信号を再生して、対応する前記第２の通信装置に出力すると共に、当該第２の通信装置から出力された第２のディジタルデータ信号に基づき前記第２のＤＳＬ変調信号を生成して、対応する前記双方向電気伝送部に送出するＭ個の第２の変復調部と、
前記Ｍ個の第２の分離部のそれぞれに対応して設けられ、各前記第２の分離部から出力された第２のＤＳＬ変調信号を、互いに異なる所定の第３の周波数帯に周波数変換するＭ個の第３の周波数変換部と、
前記Ｍ個の第３の周波数変換部から出力されたＭ個の信号を多重化し、第２のＦＤＭ信号を出力する第２の合波部と、
前記第２の合波部から出力された第２のＦＤＭ信号を光信号に変換する第２の光変調部と、
前記第２の光変調部から出力された光信号を伝送する第２の光伝送部と、
前記第２の光伝送部によって伝送されてきた光信号を電気信号である前記第２のＦＤＭ信号に再変換する第２の光検波部と、
前記第２の光検波部から出力された第２のＦＤＭ信号に含まれているＭ個の信号を分離して出力する第２の分波部と、
前記第２の分波部から出力されたＭ個の信号のそれぞれに対応して設けられ、分離された各信号を所定の第４の周波数帯に周波数変換することにより、前記第２のＤＳＬ変調信号を求めて、対応する前記第１の分離部に出力するＭ個の第４の周波数変換部とを備えた、伝送装置。
【請求項２３】
前記第１の変復調部から出力される第１のＤＳＬ変調信号が占有する周波数帯と、前記第２の変復調部から出力される第２のＤＳＬ変調信号が占有する周波数帯とが、周波数軸上において互いに隣接することを特徴とする、請求項２２に記載の伝送装置。
【請求項２４】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上において互いに隣接することを特徴とする、請求項２２に記載の伝送装置。
【請求項２５】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上に交互に配置されることを特徴とする、請求項２２に記載の伝送装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
第２の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を光信号に変換する光変調部と、光変調部から出力された光信号を伝送する光伝送部と、光伝送部によって伝送されてきた光信号を電気信号に再変換する光検波部と、光検波部から出力された信号を所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【手続補正４】
【補正対象書類名】明細書
【補正対象項目名】００１２
【補正方法】変更
【補正の内容】
【００１２】
このような第２の発明によれば、光送出設備で生成されたＤＳＬ変調信号は、周波数変換された後、光伝送される。これにより、光終端装置を小型かつ低コストにし、伝送装置の設置性向上と低コスト化を同時に達成することができる。また、簡単な構成で、適宜選択した周波数帯を用いて光伝送を行うことができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
第３の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
このような第３の発明によれば、複数チャンネルのディジタルデータ信号は、ＤＳＬ変調信号に変換され、さらに周波数変換されて多重化され、光伝送され、再度周波数変換された後、電気伝送される。これにより、復調部に従来のシステムと同様の装置および回路を使用できるので、多チャンネル伝送装置のコストを削減することができる。
【手続補正７】
【補正対象書類名】明細書
【補正対象項目名】００１５
【補正方法】変更
【補正の内容】
【００１５】
第４の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号をＮ個（Ｎは２以上の整数、以下同じ）に分岐させる分岐部と、分岐部から出力されたＮ個のＦＤＭ信号のそれぞれに対応して設けられ、分岐後のＦＤＭ信号をそれぞれ伝送するＮ個の電気伝送部と、Ｎ個の電気伝送部のそれぞれに対応して設けられ、各電気伝送部によって伝送されてきたＦＤＭ信号に含まれているＭ個の信号のうちからいずれかの信号を選択し、所定の第２の周波数帯に周波数変換する第２の周波数変換部と、第２の周波数変換部から出力された信号を復調し、ディジタルデータ信号を再生するＤＳＬ復調部とを含むＮ個の復調部とを備える。
このような第４の発明によれば、複数チャンネルのディジタルデータ信号は、ＤＳＬ変調信号に変換され、さらに周波数変換されて多重化され、光伝送される。その後、受信された信号が分岐し、複数の加入者端末に入力される。これにより、経済的な構成で、多くの加入者を収容できる大容量の伝送装置を提供することができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
第５の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換部のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
【手続補正１０】
【補正対象書類名】明細書
【補正対象項目名】００１８
【補正方法】変更
【補正の内容】
【００１８】
このような第５の発明によれば、複数の加入者に向けた各ディジタルデータ信号は、ＤＳＬ変調信号に変換され、さらに周波数変換されて多重化され、光伝送された後、多重分離され、再度周波数変換される。その結果得られたＤＳＬ変調信号が、それぞれの加入者端末に電気伝送される。これにより、複数個備える必要がある復調部に従来のシステムと同様の装置および回路を使用できるので、経済的な構成で、多くの加入者を収容できる伝送装置を提供することができる。
【手続補正１１】
【補正対象書類名】明細書
【補正対象項目名】００１９
【補正方法】変更
【補正の内容】
【００１９】
第６の発明は、第４の発明において、ディジタルデータ信号の個数Ｍと、分岐部における分岐数Ｎとが等しいことを特徴とする。
第７の発明は、それぞれ、第５の発明において、ディジタルデータ信号の個数Ｍと、分波部における分波数Ｌとが等しいことを特徴とする。
このような第６ないし第７の発明によれば、光送信設備に入力されるディジタルデータの個数と加入者端末数とを一致させることにより、複数の加入者を効率良く収容し、伝送装置の経済性を高めることができる。
【手続補正１２】
【補正対象書類名】明細書
【補正対象項目名】００２０
【補正方法】変更
【補正の内容】
【００２０】
第８ないし第９の発明は、それぞれ、第２、および第５の発明において、ＤＳＬ変調信号の占有周波数帯と、第２の周波数帯とが一致することを特徴とする。
このような第９ないし第１１の発明によれば、光送出設備内に設置するＤＳＬ変調部から出力されるＤＳＬ変調信号の周波数帯と、第２の周波数変換部における第２の周波数帯とを一致させることにより、ＤＳＬ変調部およびＤＳＬ復調部に、一般的な構成を有する回路を使用できるので、伝送装置の経済性を高めることができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
第１０の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＤＳＬ変調信号を再生する第１のＦＭ復調部と、第１のＦＭ復調部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
【手続補正１６】
【補正対象書類名】明細書
【補正対象項目名】００２４
【補正方法】変更
【補正の内容】
【００２４】
第１１の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、変調部から出力された信号を再生する第１のＦＭ復調部と、第１のＦＭ復調部から出力された信号を所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【手続補正１７】
【補正対象書類名】明細書
【補正対象項目名】００２５
【補正方法】変更
【補正の内容】
【００２５】
第１２の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する第１の合波部と、第１の合波部から出力されたＦＤＭ信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＦＤＭ信号を再生する第１のＦＭ復調部と、第１のＦＭ復調部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【手続補正１８】
【補正対象書類名】明細書
【補正対象項目名】００２６
【補正方法】変更
【補正の内容】
【００２６】
第１３の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する第１の合波部と、第１の合波部から出力されたＦＤＭ信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＦＤＭ信号を再生する第１のＦＭ復調部と、第１のＦＭ復調部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
このような第１０ないし第１３の発明は、それぞれ、第１、第２、第３および第５の発明に、光伝送の前後でＦＭ変復調する機能を追加したものである。したがって、第１０ないし第１３の発明によれば、第１、第２、第３および第５の発明の効果に加えて、ＦＭ伝送方式が有する特徴を利用して、光伝送時の雑音特性および多重反射耐性を改善することができる。これにより、品質の低い光伝送路を利用した場合でも伝送品質を確保できるので、高品質かつ低コストな伝送装置を提供することができる。
【手続補正１９】
【補正対象書類名】明細書
【補正対象項目名】００２７
【補正方法】変更
【補正の内容】
【００２７】
第１４の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号であるＤＳＬ変調信号に再変換する複数の光検波部と、複数の光検波部のそれぞれに対応して設けられ、各光検波部から出力されたＤＳＬ変調信号を伝送する複数の電気伝送部と、複数の電気伝送部のそれぞれに対応して設けられ、各電気伝送部によって伝送されてきたＤＳＬ変調信号を復調し、ディジタルデータ信号を再生する複数のＤＳＬ復調部とを備える。
【手続補正２０】
【補正対象書類名】明細書
【補正対象項目名】００２８
【補正方法】変更
【補正の内容】
【００２８】
第１５の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号に再変換する複数の光検波部と、複数の光検波部のそれぞれに対応して設けられ、各光検波部から出力された信号を所定の第２の周波数帯に周波数変換する複数の第２の周波数変換部と、複数の第２の周波数変換部のそれぞれに対応して設けられ、各第２の周波数変換部から出力された信号を伝送する複数の電気伝送部と、複数の電気伝送部のそれぞれに対応して設けられ、各電気伝送部によって伝送されてきた信号を復調し、ディジタルデータ信号を再生する複数のＤＳＬ復調部とを備える。
【手続補正２１】
【補正対象書類名】明細書
【補正対象項目名】００２９
【補正方法】変更
【補正の内容】
【００２９】
第１６の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号であるＦＤＭ信号に再変換する複数の光検波部と、複数の光検波部のそれぞれに対応して設けられ、各光検波部から出力されたＦＤＭ信号に含まれているＭ個の信号のうちからいずれかの信号を選択し、所定の第２の周波数帯に周波数変換する複数の第２の周波数変換部と、複数の第２の周波数変換部のそれぞれに対応して設けられ、各第２の周波数変換部から出力された信号を伝送する複数の電気伝送部と、複数の電気伝送部のそれぞれに対応して設けられ、当該電気伝送部によって伝送されてきた信号を復調し、ディジタルデータ信号を再生する複数のＤＳＬ復調部とを備える。
このような第１４ないし第１６の発明は、それぞれ、第１、第２および第３の発明に、受信した光信号を分配する機能を追加したものである。したがって、第１４ないし第１６の発明によれば、第１、第２および第３の発明の効果に加えて、受信した光信号を複数に分配することにより、さらに多くの加入者端末を収容することができるので、伝送装置の経済性を高めることができる。
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
第１７の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＤＳＬ変調信号と第２の電気信号とを分離して出力する周波数分離部と、周波数分離部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
【手続補正２５】
【補正対象書類名】明細書
【補正対象項目名】００３３
【補正方法】変更
【補正の内容】
【００３３】
第１８の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、変調部からの出力信号に相当する信号と第２の電気信号とを分離して出力する周波数分離部と、周波数分離部から出力された変調部からの出力信号に相当する信号を、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【手続補正２６】
【補正対象書類名】明細書
【補正対象項目名】００３４
【補正方法】変更
【補正の内容】
【００３４】
第１９の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化してＦＤＭ信号を生成すると共に、さらに所定の第２の電気信号を多重化する合波多重部と、合波多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＦＤＭ信号と第２の電気信号とを分離して出力する周波数分離部と、周波数分離部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【手続補正２７】
【補正対象書類名】明細書
【補正対象項目名】００３５
【補正方法】変更
【補正の内容】
【００３５】
第２０の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化してＦＤＭ信号を生成すると共に、さらに所定の第２の電気信号を多重化する合波多重部と、合波多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＦＤＭ信号と第２の電気信号とを分離して出力する周波数分離部と、周波数分離部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換部のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
このような第１７ないし第２０の発明は、それぞれ、第１、第２、第３および第５の発明に、第２の電気信号を光信号に周波数多重して伝送する機能を追加したものである。したがって、第１７ないし第２０の発明によれば、第１、第２、第３および第５の発明の効果に加えて、ＤＳＬサービス以外のサービス等も提供できる拡張性および柔軟性に優れた伝送装置を提供することができる。
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】変更
【補正の内容】
【００４２】
第２１の発明は、ＤＳＬサービスを用いてＭ個の第１の通信装置とＭ個の第２の通信装置との間で１対１の双方向通信を実現するために、第１の通信装置から対応する第２の通信装置に第１のディジタルデータ信号を伝送し、第２の通信装置から対応する第１の通信装置に第２のディジタルデータ信号を伝送する伝送装置であって、Ｍ個の第１の通信装置のそれぞれに対応して設けられ、各第１の通信装置から出力された第１のディジタルデータ信号に基づき第１のＤＳＬ変調信号を生成するＭ個の第１のＤＳＬ変調部と、Ｍ個の第１のＤＳＬ変調部のそれぞれに対応して設けられ、各第１のＤＳＬ変調部から出力された第１のＤＳＬ変調信号を、互いに異なる所定の第１の周波数帯に周波数変換するＭ個の第１の周波数変換部と、Ｍ個の第１の周波数変換部から出力されたＭ個の信号を多重化し、第１のＦＤＭ信号を出力する第１の合波部と、第１の合波部から出力された第１のＦＤＭ信号を光信号に変換する第１の光変調部と、第１の光変調部から出力された光信号を伝送する第１の光伝送部と、第１の光伝送部によって伝送されてきた光信号を電気信号である第１のＦＤＭ信号に再変換する第１の光検波部と、第１の光検波部から出力された第１のＦＤＭ信号に含まれているＭ個の信号を分離して出力する第１の分波部と、第１の分波部から出力されたＭ個の信号のそれぞれに対応して設けられ、分離された各信号を所定の第２の周波数帯に周波数変換することにより、第１のＤＳＬ変調信号を求めるＭ個の第２の周波数変換部と、Ｍ個の第２の周波数変換部のそれぞれに対応して設けられ、各第２の周波数変換部から出力された第１のＤＳＬ変調信号を伝送するＭ個の第１の電気伝送部と、Ｍ個の第１の電気伝送部のそれぞれに対応して設けられ、各第１の電気伝送部によって伝送されてきた信号を復調し、第１のディジタルデータ信号を再生して、対応する第２の通信装置に出力するＭ個の第１のＤＳＬ復調部と、Ｍ個の第２の通信装置のそれぞれに対応して設けられ、各第２の通信装置から出力された第２のディジタルデータ信号に基づき第２のＤＳＬ変調信号を生成するＭ個の第２のＤＳＬ変調部と、Ｍ個の第２のＤＳＬ変調部のそれぞれに対応して設けられ、各第２のＤＳＬ変調部から出力された第２のＤＳＬ変調信号を伝送するＭ個の第２の電気伝送部と、Ｍ個の第２の電気伝送部のそれぞれに対応して設けられ、各第２の電気伝送部によって伝送されてきた第２のＤＳＬ変調信号を、互いに異なる所定の第３の周波数帯に周波数変換するＭ個の第３の周波数変換部と、Ｍ個の第３の周波数変換部から出力されたＭ個の信号を多重化し、第２のＦＤＭ信号を出力する第２の合波部と、第２の合波部から出力された第２のＦＤＭ信号を光信号に変換する第２の光変調部と、第２の光変調部から出力された光信号を伝送する第２の光伝送部と、第２の光伝送部によって伝送されてきた光信号を電気信号である第２のＦＤＭ信号に再変換する第２の光検波部と、第２の光検波部から出力された第２のＦＤＭ信号に含まれているＭ個の信号を分離して出力する第２の分波部と、第２の分波部から出力されたＭ個の信号のそれぞれに対応して設けられ、分離された各信号を所定の第４の周波数帯に周波数変換するＭ個の第４の周波数変換部と、Ｍ個の第４の周波数変換部のそれぞれに対応して設けられ、各第４の周波数変換部から出力された信号を復調し、第２のディジタルデータ信号を再生して、対応するの第１の通信装置に出力するＭ個の第２のＤＳＬ復調部とを備える。
このような第２１の発明によれば、複数の加入者対に対応する送受信回路から出力される複数の双方向信号は、互いに異なる周波数帯に変換され、１つのＦＤＭ信号として伝送される。これにより、光伝送路の数を削減できるので、加入者対の数が多い場合でも、低コストな双方向伝送装置を提供することができる。
【手続補正３５】
【補正対象書類名】明細書
【補正対象項目名】００４３
【補正方法】変更
【補正の内容】
【００４３】
第２２の発明は、ＤＳＬサービスを用いてＭ個の第１の通信装置とＭ個の第２の通信装置との間で１対１の双方向通信を実現するために、第１の通信装置から対応する第２の通信装置に第１のディジタルデータ信号を伝送し、第２の通信装置から対応する第１の通信装置に第２のディジタルデータ信号を伝送する伝送装置であって、Ｍ個の第１の通信装置のそれぞれに対応して設けられ、各第１の通信装置から出力された第１のディジタルデータ信号に基づき第１のＤＳＬ変調信号を生成すると共に、入力された第２のＤＳＬ変調信号を復調することにより第２のディジタルデータ信号を再生して、対応する第１の通信装置に出力するＭ個の第１の変復調部と、Ｍ個の第１の変復調部のそれぞれに対応して設けられ、各第１の変復調部から出力された第１のＤＳＬ変調信号を出力すると共に、入力された第２のＤＳＬ変調信号を対応する第１の変復調部に出力するＭ個の第１の分離部と、Ｍ個の第１の分離部のそれぞれに対応して設けられ、各第１の分離部から出力された第１のＤＳＬ変調信号を、互いに異なる所定の第１の周波数帯に周波数変換するＭ個の第１の周波数変換部と、Ｍ個の第１の周波数変換部から出力されたＭ個の信号を多重化し、第１のＦＤＭ信号を出力する第１の合波部と、第１の合波部から出力された第１のＦＤＭ信号を光信号に変換する第１の光変調部と、第１の光変調部から出力された光信号を伝送する第１の光伝送部と、第１の光伝送部によって伝送されてきた光信号を電気信号である第１のＦＤＭ信号に再変換する第１の光検波部と、第１の光検波部から出力された第１のＦＤＭ信号に含まれているＭ個の信号を分離して出力する第１の分波部と、第１の分波部から出力されたＭ個の信号のそれぞれに対応して設けられ、分離された各信号を所定の第２の周波数帯に周波数変換するＭ個の第２の周波数変換部と、Ｍ個の第２の通信装置のそれぞれに対応して設けられた、Ｍ個の双方向電気伝送部と、Ｍ個の第２の周波数変換部のそれぞれに対応して設けられ、各第２の周波数変換部から出力された信号を対応する双方向電気伝送部に送出すると共に、当該双方向電気伝送部によって伝送されてきた第２のＤＳＬ変調信号を受信して出力するＭ個の第２の分離部と、Ｍ個の双方向電気伝送部のそれぞれに対応して設けられ、当該双方向電気伝送部によって伝送されてきた第１のＤＳＬ変調信号を復調することにより、第１のディジタルデータ信号を再生して、対応する第２の通信装置に出力すると共に、当該第２の通信装置から出力された第２のディジタルデータ信号に基づき第２のＤＳＬ変調信号を生成して、対応する双方向電気伝送部に送出するＭ個の第２の変復調部と、Ｍ個の第２の分離部のそれぞれに対応して設けられ、各第２の分離部から出力された第２のＤＳＬ変調信号を、互いに異なる所定の第３の周波数帯に周波数変換するＭ個の第３の周波数変換部と、Ｍ個の第３の周波数変換部から出力されたＭ個の信号を多重化し、第２のＦＤＭ信号を出力する第２の合波部と、第２の合波部から出力された第２のＦＤＭ信号を光信号に変換する第２の光変調部と、第２の光変調部から出力された光信号を伝送する第２の光伝送部と、第２の光伝送部によって伝送されてきた光信号を電気信号である第２のＦＤＭ信号に再変換する第２の光検波部と、第２の光検波部から出力された第２のＦＤＭ信号に含まれているＭ個の信号を分離して出力する第２の分波部と、第２の分波部から出力されたＭ個の信号のそれぞれに対応して設けられ、分離された各信号を所定の第４の周波数帯に周波数変換することにより、第２のＤＳＬ変調信号を求めて、対応する第１の分離部に出力するＭ個の第４の周波数変換部とを備える。
このような第２２の発明によれば、複数の加入者対に対応する送受信回路から出力される複数の双方向信号は、互いに異なる周波数帯に変換され、１つのＦＤＭ信号として伝送される。これにより、光伝送路の数を削減できるので、加入者対の数が多い場合でも、経済性に優れた双方向伝送装置を提供することができる。
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】変更
【補正の内容】
【００４６】
第２３の発明は、第２２の発明において、第１の変復調部から出力される第１のＤＳＬ変調信号が占有する周波数帯と、第２の変復調部から出力される第２のＤＳＬ変調信号が占有する周波数帯とが、周波数軸上において互いに隣接することを特徴とする。
【手続補正３９】
【補正対象書類名】明細書
【補正対象項目名】００４７
【補正方法】変更
【補正の内容】
【００４７】
第２４の発明は、第２２の発明において、第１の変復調部から出力される第１のＤＳＬ変調信号が、第１の周波数変換部によって周波数変換されたときに得られる信号を、第１の信号とし、第１の変復調部に対応する第２の変復調部から出力される第２のＤＳＬ変調信号が、第２の周波数変換部によって周波数変換されたときに得られる信号を、第２の信号としたときに、第１の信号が占有する周波数帯と、第２の信号が占有する周波数帯とが、周波数軸上において互いに隣接することを特徴とする。
このような第２３ないし第２４の発明によれば、第１および第２のＤＳＬ変調信号（あるいは上記第１および第２の信号）が占有する周波数帯が周波数軸上で互いに隣接しているので、装置を構成する回路やデバイスの性能に起因して、双方向信号間のクロストークが生じた場合でも、伝送品質の劣化が少ない。よって、高品質な双方向伝送装置を提供することができる。
【手続補正４０】
【補正対象書類名】明細書
【補正対象項目名】００４８
【補正方法】変更
【補正の内容】
【００４８】
第２５の発明は、第２２の発明において、第１の変復調部から出力される第１のＤＳＬ変調信号が、第１の周波数変換部によって周波数変換されたときに得られる信号を、第１の信号とし、第１の変復調部に対応する第２の変復調部から出力される第２のＤＳＬ変調信号が、第２の周波数変換部によって周波数変換されたときに得られる信号を、第２の信号としたときに、第１の信号が占有する周波数帯と、第２の信号が占有する周波数帯とが、周波数軸上に交互に配置されることを特徴とする。
このような第２５の発明よれば、第１のＤＳＬ変調信号を周波数変換したときに得られる信号と第２のＤＳＬ変調信号を周波数変換したときに得られる信号とが、周波数軸上に交互に配置されるので、装置を構成する回路やデバイスの性能に起因して伝送歪が生じても、伝送品質の劣化が少ない。よって、高品質な双方向伝送装置を提供することができる。